(57)【要約】【課題】光伝送基板の設計自由度を高め、光導波路の持つ本来の高い伝送特性を維持し得る光伝送基板を提供すること。【解決手段】光伝送基板１ａは、基板５と、基板５に設置され、コア部３４ａ〜３４ｃと、該コア部３４ａ〜３４ｃを囲むように設けられたクラッド部３５ａ〜３５ｄとを有する光導波路３ａと、コア部３４ａ〜３４ｃの延在方向に対し傾斜して設けられたミラー４ａ〜４ｃと、基板５に設けられ、光導波路３ａと光学的に接続される導光路を備えたコネクタ８が接続される接続部材２と、光導波路３ａおよび接続部材２のうちの少なくとも一方のミラー４ａ〜４ｃに対応する部分に設けられたレンズ６ａ〜６ｃとを備え、接続部材２は、コネクタ８が接続された接続状態で、レンズ６ａ〜６ｃとコネクタ８との間に間隙２６が形成されるようにコネクタ８をレンズ６ａ〜６ｃに対して位置決めする位置決め手段７を有する。【選択図】図３
2014085415.tif 000002
【特許請求の範囲】
【請求項１】
基板と、
前記基板に設置され、少なくとも１本のコア部と、該コア部を囲むように設けられたクラッド部とを有する光導波路と、
前記コア部の延在方向に対し傾斜して設けられたミラーと、
前記基板上に設けられ、前記光導波路と光学的に接続される導光路を備えたコネクタが接続される接続部材と、
前記光導波路および前記接続部材のうちの少なくとも一方の前記ミラーに対応する部分に設けられたレンズとを備え、
前記接続部材は、前記コネクタが接続された接続状態で、前記レンズと前記コネクタとが非接触となるよう前記コネクタを前記レンズに対して位置決めする位置決め手段を有することを特徴とする光伝送基板。
【請求項２】
前記接続部材は、前記コネクタが挿入される挿入部を有し、
前記位置決め手段は、前記挿入部に設けられ、前記接続状態で、前記コネクタの前記挿入部に対する挿入深さを規制する規制部で構成される請求項１に記載の光伝送基板。
【請求項３】
前記規制部は、前記接続状態で前記コネクタの前記基板に臨む部分と当接する当接面を有する請求項２に記載の光伝送基板。
【請求項４】
前記接続部材は、前記光導波路が挿入される凹部を有する請求項１ないし３のいずれかに記載の光伝送基板。
【請求項５】
前記接続部材は、前記凹部内において、前記光導波路と非接触である請求項４に記載の光伝送基板。
【請求項６】
前記接続部材は、前記光導波路の前記コア部と非接触である請求項１ないし５のいずれかに記載の光伝送基板。
【請求項７】
前記レンズは、前記接続状態で前記ミラーと前記コネクタとの間に配置される請求項１ないし６のいずれかに記載の光伝送基板。
【請求項８】
前記コア部は、複数本並設され、
前記ミラーは、前記各コア部にそれぞれ設けられ、
前記レンズは、前記各ミラーにそれぞれ対応するように設けられた請求項１ないし７のいずれかに記載の光伝送基板。
【請求項９】
前記接続部材は、当該光伝送基板の平面視で前記各レンズを一括して包含している請求項８に記載の光伝送基板。
【請求項１０】
隣り合う前記レンズ同士が、前記コア部の延在方向にずれて配置されている請求項８または９に記載の光伝送基板。
【請求項１１】
前記接続部材は、前記コア部の延在方向に沿って複数設けられ、
前記複数のレンズは、当該光伝送基板の平面視で、前記複数の接続部材のうちのいずれかと重なっている請求項８または１０に記載の光伝送基板。
【発明の詳細な説明】
【技術分野】
【０００１】
本発明は、光伝送基板に関する。
【背景技術】
【０００２】
近年、光周波搬送波を使用してデータを移送する光通信がますます重要になっている。このような光通信では、信号を伝搬する信号伝搬光を一地点から他地点へ導くための手段として、光導波路が用いられる。
【０００３】
光導波路は、例えば、コア層と、該コア層の両面にそれぞれ設けられた一対のクラッド層とで構成されている。コア層は、線状のコア部とクラッド部とを有し、これらが交互に配列されている（例えば、特許文献１参照）。
【０００４】
この特許文献１に記載の光導波路には、光コネクタにより一括支持された複数本の光ファイバが光学的に接続される。この接続状態において、光導波路は、光ファイバと当接する。
【０００５】
ところで、近年の光学分野における市場では、より高い光学特性が求められている。しかしながら、このような特許文献１に示す構成では、前記近年の市場要請に十分に応えることができなかった。
【先行技術文献】
【特許文献】
【０００６】
【特許文献１】国際公開第２００６／０５４５６９号
【発明の概要】
【発明が解決しようとする課題】
【０００７】
本発明の目的は、光伝送基板の設計自由度を高め、光導波路の持つ本来の高い伝送特性を維持し得る光伝送基板を提供することにある。
【課題を解決するための手段】
【０００８】
このような目的は、下記（１）〜（１１）の本発明により達成される。
（１）  基板と、
前記基板に設置され、少なくとも１本のコア部と、該コア部を囲むように設けられたクラッド部とを有する光導波路と、
前記コア部の延在方向に対し傾斜して設けられたミラーと、
前記基板上に設けられ、前記光導波路と光学的に接続される導光路を備えたコネクタが接続される接続部材と、
前記光導波路および前記接続部材のうちの少なくとも一方の前記ミラーに対応する部分に設けられたレンズとを備え、
前記接続部材は、前記コネクタが接続された接続状態で、前記レンズと前記コネクタとが非接触となるよう前記コネクタを前記レンズに対して位置決めする位置決め手段を有することを特徴とする光伝送基板。
【０００９】
（２）  前記接続部材は、前記コネクタが挿入される挿入部を有し、
前記位置決め手段は、前記挿入部に設けられ、前記接続状態で、前記コネクタの前記挿入部に対する挿入深さを規制する規制部で構成される上記（１）に記載の光伝送基板。
【００１０】
（３）  前記規制部は、前記接続状態で前記コネクタの前記基板に臨む部分と当接する当接面を有する上記（２）に記載の光伝送基板。
【００１１】
（４）  前記接続部材は、前記光導波路が挿入される凹部を有する上記（１）ないし（３）のいずれかに記載の光伝送基板。
【００１２】
（５）  前記接続部材は、前記凹部内において、前記光導波路と非接触である上記（４）に記載の光伝送基板。
【００１３】
（６）  前記接続部材は、前記光導波路の前記コア部と非接触である上記（１）ないし（５）のいずれかに記載の光伝送基板。
【００１４】
（７）  前記レンズは、前記接続状態で前記ミラーと前記コネクタとの間に配置される上記（１）ないし（６）のいずれかに記載の光伝送基板。
【００１５】
（８）  前記コア部は、複数本並設され、
前記ミラーは、前記各コア部にそれぞれ設けられ、
前記レンズは、前記各ミラーにそれぞれ対応するように設けられた上記（１）ないし（７）のいずれかに記載の光伝送基板。
【００１６】
（９）  前記接続部材は、当該光伝送基板の平面視で前記各レンズを一括して包含している上記（８）に記載の光伝送基板。
【００１７】
（１０）  隣り合う前記レンズ同士が、前記コア部の延在方向にずれて配置されている上記（８）または（９）に記載の光伝送基板。
【００１８】
（１１）  前記接続部材は、前記コア部の延在方向に沿って複数設けられ、
前記複数のレンズは、当該光伝送基板の平面視で、前記複数の接続部材のうちのいずれかと重なっている上記（８）または（１０）に記載の光伝送基板。
【発明の効果】
【００１９】
本願発明によれば、接続部材を介して光導波路とコネクタを接続することができる。接続部材は、基板上の任意の位置に設置することができる。これにより、接続部材を設置する際の設計の自由度が高くなる。
【００２０】
さらに、本願発明では、光導波路に複数のコア部が並設され、各コア部にレンズが設けられていた場合、隣り合うレンズ同士を、前記コア部の長手方向にずれて配置することができる（以下、この状態を「千鳥配置」という）。この場合、隣り合うレンズ同士の離間距離をできるだけ大きく確保することができる。これにより、レンズは、光導波路の幅方向に整列して設けられた場合のレンズに比べ、大きいものを用いることができる。よって、各レンズを、光導波路からの光、または導光路からの光ができるだけ多く透過することができる。このように、光導波路の持つ本来の高い伝送特性をより確実に維持することができる。
【００２１】
さらに、本願発明では、コア部の延在方向に沿って設けられた複数の接続部材と、千鳥配置のレンズとを、平面視で重なるように設けることができる。この場合、各接続部材は、千鳥配置のレンズを一括して包含するように設けられた接続部材に比べ、小さいものを用いることができる。これにより、接続部材を設置する際の設計の自由度がさらに高くなる。
【図面の簡単な説明】
【００２２】
【図１】本発明の光伝送基板の第１実施形態を示す斜視図である。
【図２】図１中のＡ−Ａ断面図である。
【図３】図２中のＢ−Ｂ断面図である。
【図４】図１中の矢印Ｃ方向から見た図である。
【図５】図１中の矢印Ｄ方向から見た図である。
【図６】本発明の光伝送基板の第２実施形態を示す斜視図である。
【図７】図６に示す光伝送基板の平面図である。
【図８】本発明の光伝送基板の第３実施形態を示す断面図である。
【図９】本発明の光伝送基板の第４実施形態を示す断面図である。
【発明を実施するための形態】
【００２３】
以下、本発明の光伝送基板を添付図面に示す好適な実施形態に基づいて詳細に説明する。
【００２４】
＜第１実施形態＞
図１は、本発明の光伝送基板の第１実施形態を示す斜視図、図２は、図１中のＡ−Ａ断面図、図３は、図２中のＢ−Ｂ断面図、図４は、図１中の矢印Ｃ方向から見た図、図５は、図１中の矢印Ｄ方向から見た図である。なお、以下では、説明の都合上、図１〜図４（図８、図９についても同様）の上側を「上方」、下側を「下方」と言う。また、図１、図３〜図５中の右側を「右側」、左側を「左側」という。
【００２５】
図１〜図３に示すように、光伝送基板１Ａは、基板５と、基板５に設置された帯状の光導波路３ａと、光導波路３ａに長手方向に沿って通過する光１００を反射するミラー４ａ〜４ｃと、ミラー４ａ〜４ｃに対応して光導波路３ａ上に設けられたレンズ６ａ〜６ｃと、基板５上に設けられ、光導波路３ａと光学的に接続されるコネクタ８を接続する接続部材２とを備えている。なお、以下では、コネクタ８を接続部材２に接続した状態を「接続状態」という。また、本実施形態では、光１００は、接続状態において、光導波路３ａを図２中の矢印方向に通過する。すなわち、光１００は、光導波路３ａからコネクタ８に向かう。
【００２６】
以下、各部の構成について説明する。
まず、基板５について説明する。図２および図３に示すように、基板５は、光伝送基板１Ａを構成する各部を支持する機能を有するものであり、その上面５０には、光導波路３ａと接続部材２とが設置されている。
【００２７】
図２に示すように、基板５は、第１の絶縁層５１と、第１の導体パターン（導体回路）５２と、第２の絶縁層５３と、第２の導体パターン（導体回路）５４と、第３の絶縁層５５と、第３の導体パターン（導体回路５６）と、被覆層（ソルダーレジスト層）５７とを有し、これらがこの順に下側から積層された（配置された）積層体で構成されている。
【００２８】
なお、基板５の総厚は、特に限定されず、例えば、０．２５〜３．２ｍｍであるのが好ましく、０．５〜１．５ｍｍであるのがより好ましい。
【００２９】
第１の導体パターン５２、第２の導体パターン５４、第３の導体パターン５６は、それぞれ、導電性を有する金属材料で構成されたものであり、互いに電気的に接続されている。そして、第１の導体パターン５２、第２の導体パターン５４、第３の導体パターン５６のうちのいずれか１つは、電源や制御装置（図示せず）と接続することができるように構成されている。
【００３０】
なお、各導体パターンは、それぞれ、例えば、金属箔をエッチングすることにより所定のパターンに形成することができる。また、金属箔としては、特に限定されないが、例えば、銅箔を好適に用いることができる。これにより、各導体パターンは、それぞれ、比較的抵抗値が小さいものとなる。
【００３１】
第１の絶縁層５１は、第１の導体パターン５２を外部から絶縁する層である。第２の絶縁層５３は、第１の導体パターン５２と第２の導体パターン５４とを絶縁する層である。第３の絶縁層５５は、第２の導体パターン５４と第３の導体パターン５６とを絶縁する層である。このような各絶縁層により、各導体パターンの不本意なショート（短絡）を確実に防止することができる。
【００３２】
被覆層５７は、第３の導体パターン５６の少なくとも一部を覆うように形成されている。これにより、第３の導体パターン５６を保護することができ、よって、例えば、第３の導体パターン５６の劣化やショートを防止することができる。
【００３３】
なお、第１の絶縁層５１、第２の絶縁層５３、第３の絶縁層５５および被覆層５７の構成材料としては、特に限定されないが、例えば、各種樹脂材料が挙げられ、特に、エポキシ樹脂、フェノール樹脂が好ましい。
【００３４】
また、本実施形態では、基板５は、上記のような積層体で構成されるが、これに限らず、単層構成であってもよい。
【００３５】
基板５の上面５０には、光導波路３ａが設置されている。この光導波路３ａは、図１および図５に示すように、その全体形状が帯状をなしている。
【００３６】
図２および図３に示すように、光導波路３ａは、クラッド層（第１のクラッド層（クラッド部））３３ａと、コア層３２と、クラッド層（第２のクラッド層（クラッド部））３３ｂとで構成され、これらの層をこの順に下側から積層してなるものである。
【００３７】
図３に示すように、コア層３２は、長尺状をなす複数本（本実施形態では、３本）のコア部（導波路チャンネル）３４ａ、３４ｂ、３４ｃと、複数本（本実施形態では、４本）の側面クラッド部（クラッド部）３５ａ、３５ｂ、３５ｃ、３５ｄとを有し、これらが光導波路３ａの幅方向に交互に配置されている。このように光導波路３ａは、複数本のコア部を有するマルチチャンネルタイプを構成する。
【００３８】
コア部３４ａ〜３４ｃと側面クラッド部３５ａ〜３５ｄとは、互いに光の屈折率が異なり、その屈折率の差は、特に限定されないが、０．５％以上であるのが好ましく、０．８％以上であるのがより好ましい。なお、上限値は、特に設定されなくてもよいが、好ましくは５．５％程度とされる。
【００３９】
また、コア部３４ａ〜３４ｃは、側面クラッド部３５ａ〜３５ｄに比べて屈折率が高い材料で構成され、また、クラッド層３３ａ、３３ｂに対しても屈折率が高い材料で構成されている。
【００４０】
コア部３４ａ〜３４ｃ、側面クラッド部３５ａ〜３５ｄの各構成材料は、それぞれ、特に限定されない。本実施形態では、コア部３４ａ〜３４ｃと側面クラッド部３５ａ〜３５ｄとは同一の材料で構成されており、それらの屈折率の差は、各部を構成する材料の化学構造の差異により発現している。
【００４１】
コア層３２の構成材料には、コア部３４ａ〜３４ｃを通過する光に対して実質的に透明な材料であればいかなる材料をも用いることができるが、具体的には、アクリル系樹脂、メタクリル系樹脂、ポリカーボネート、ポリスチレン、エポキシ樹脂、ポリアミド、ポリイミド、ポリベンゾオキサゾール、ポリシラン、ポリシラザン、また、ベンゾシクロブテン系樹脂やノルボルネン系樹脂等の環状オレフィン系樹脂のような各種樹脂材料の他、石英ガラス、ホウケイ酸ガラスのようなガラス材料等を用いることができる。
【００４２】
このうち、本実施形態のように化学構造の差異により屈折率差を発現させるためには、紫外線、電子線のような活性エネルギー線の照射により（あるいはさらに加熱することにより）屈折率が変化する材料であるのが好ましい。
【００４３】
このような材料としては、例えば、活性エネルギー線の照射や加熱により、少なくとも一部の結合が切断あるいは結合したり、少なくとも一部の官能基が脱離改変したり等して、化学構造が変化し得る材料が挙げられる。
【００４４】
具体的には、ポリシラン（例：ポリメチルフェニルシラン）、ポリシラザン（例：ペルヒドロポリシラザン）等のシラン系樹脂や、前述したような構造変化を伴う材料のベースとなる樹脂としては、分子の側鎖または末端に官能基を有する以下の（１）〜（６）のような樹脂が挙げられる。（１）ノルボルネン型モノマーを付加（共）重合して得られるノルボルネン型モノマーの付加（共）重合体、（２）ノルボルネン型モノマーとエチレンやα−オレフィン類との付加共重合体、（３）ノルボルネン型モノマーと非共役ジエン、および必要に応じて他のモノマーとの付加共重合体、（４）ノルボルネン型モノマーの開環（共）重合体、および必要に応じて該（共）重合体を水素添加した樹脂、（５）ノルボルネン型モノマーとエチレンやα−オレフィン類との開環共重合体、および必要に応じて該（共）重合体を水素添加した樹脂、（６）ノルボルネン型モノマーと非共役ジエン、または他のモノマーとの開環共重合体、および必要に応じて該（共）重合体を水素添加した樹脂等のノルボルネン系樹脂、その他、光硬化反応性モノマーを重合することにより得られるアクリル系樹脂、エポキシ樹脂。
【００４５】
なお、これらの中でも特にノルボルネン系樹脂が好ましい。これらのノルボルネン系ポリマーは、例えば、開環メタセシス重合（ＲＯＭＰ）、ＲＯＭＰと水素化反応との組み合わせ、ラジカルまたはカチオンによる重合、カチオン性パラジウム重合開始剤を用いた重合、これ以外の重合開始剤（例えば、ニッケルや他の遷移金属の重合開始剤）を用いた重合等、公知のすべての重合方法で得ることができる。
【００４６】
図２に示すように、コア層３２の両面には、それぞれ、クラッド層３３ａ、３３ｂが配置されている。クラッド層３３ａ、３３ｂは、それぞれ、コア層３２の下部および上部に位置するクラッド部を構成するものであり、コア層３２に接している。これにより、図３に示すように、コア部３４ａ〜３４ｃは、それぞれ、その全外周面をクラッド部に囲まれる構成となる。よって、コア部３４ａ〜３４ｃは、それぞれ導光路として機能する。
【００４７】
クラッド層３３ａ、３３ｂの構成材料としては、例えば、前述したコア層３２の構成材料と同様の材料を用いることができるが、特にノルボルネン系ポリマーが好ましい。例えば、比較的低い屈折率を有するノルボルネン系ポリマーとしては、末端にエポキシ構造を含む置換基を有するノルボルネンの繰り返し単位を含むものが好ましい。かかるノルボルネン系ポリマーは、特に低い屈折率を有するとともに、コア層３２との密着性が良好である。
【００４８】
また、ノルボルネン系ポリマーは、アルキルノルボルネンの繰り返し単位を含むものが好ましい。アルキルノルボルネンの繰り返し単位を含むノルボルネン系ポリマーは、柔軟性が高いため、かかるノルボルネン系ポリマーを用いることにより、光導波路３ａに高いフレキシビリティ（可撓性）を付与することができる。
【００４９】
アルキルノルボルネンの繰り返し単位が有するアルキル基としては、例えば、プロピル基、ブチル基、ペンチル基、ヘキシル基、ヘプチル基、オクチル基、ノニル基、デシル基等が挙げられるが、ヘキシル基が特に好ましい。なお、これらのアルキル基は、直鎖状または分岐状のいずれであってもよい。
【００５０】
ヘキシルノルボルネンの繰り返し単位を含むことにより、ノルボルネン系ポリマー全体の屈折率が上昇するのを防止することができる。
【００５１】
以上のような構成の光導波路３ａは、所定の（例えば６００〜１５５０ｎｍ程度）の波長領域の光を使用したデータ通信において好適に使用される。
【００５２】
なお、光導波路３ａは、例えば接着剤層（図示せず）を介して基板５に固定されている。
【００５３】
このような構成の光導波路３ａにはコア部３４ａ〜３４ｃを通過する光１００を反射するミラー４ａ、４ｂ、４ｃが形成されている。
【００５４】
図３に示すように、ミラー４ａは、コア部３４ａに設けられ、ミラー４ｂは、コア部３４ｂに設けられ、ミラー４ｃは、コア部３４ｃに設けられている。また、ミラー４ａ〜４ｃは、光導波路３ａの幅方向に沿って整列して設けられている。ミラー４ａ〜４ｃは、同様の構成であるため、以下、ミラー４ｂについて代表的に説明する。
【００５５】
図２に示すように、ミラー４ｂは、光導波路３ａに、例えば、レーザー照射により楔形に掘り込み加工を施して形成される。これにより得られた楔状の空間４１ｂには、２つの傾斜面４２ｂ、４３ｂが臨んでいる。この２つの傾斜面４２ｂ、４３ｂのうちの傾斜面４２ｂがミラー４ｂとして機能する。
【００５６】
ミラー４ａ〜４ｃをレーザー照射により形成する場合、用いるレーザーとしては、例えば、ＡｒＦ及びＫｒＦ等のエキシマレーザー、ＹＡＧレーザー、ＣＯ２レーザー等が挙げられる。
【００５７】
レーザーの照射エネルギーは、特に限定されないが、１〜１０ｍＪ程度であるのが好ましく、５〜７ｍＪ程度であるのがより好ましい。これにより、短時間で光導波路３ａの構成材料を除去することができる。また、レーザーの照射する際の周波数は、特に限定されないが、５０〜３００Ｈｚ程度であるのが好ましく、２００〜２５０Ｈｚ程度であるのがより好ましい。周波数が前記範囲内であると、傾斜面４２ｂは確実に平滑なものとなる。
【００５８】
この傾斜面４２ｂは、光導波路３ａ（コア部３４ｂ）の延在（長手）方向に対して所定の傾斜角度θで傾斜しており、かつ、その右側と左側では、屈折率が異なっている。このため、コア部３４ｂを通過する光１００は、傾斜面４２ｂに到達すると、この傾斜面４２ｂ（ミラー４ｂ）で反射され、上側に屈曲される。
この傾斜角度θは、４２〜４８°が好ましく、４３〜４７°がより好ましい。
【００５９】
このような傾斜角度θに設定された傾斜面４２ｂでは、コア部３４ｂを通過する光１００は、略直角に反射され、光導波路３ａの真上に位置するコネクタ８に入射する。これにより、光導波路３ａと光ファイバ８１ｂとは光学的に接続される。
光導波路３ａの上面３６ａには、レンズ６ａ、６ｂ、６ｃが設けられている。
【００６０】
図３に示すように、レンズ６ａは、ミラー４ａとコネクタ８との間に配置され、レンズ６ｂは、ミラー４ｂとコネクタ８との間に配置され、レンズ６ｃは、ミラー４ｃとコネクタ８との間に配置されている。具体的には、レンズ６ａは、光導波路３ａの上面３６ａのうち、ミラー４ａにより反射された光１００が通過する部分に設けられ、レンズ６ｂは、光導波路３ａの上面３６ａのうち、ミラー４ｂにより反射された光１００が通過する部分に設けられ、レンズ６ｃは、光導波路３ａの上面３６ａのうち、ミラー４ｃにより反射された光１００が通過する部分に設けられている。
【００６１】
また、レンズ６ａ〜６ｃは、光導波路３ａの幅方向に沿って整列して設けられている。なお、レンズ６ａ〜６ｃは、同様の構成であるため、レンズ６ｂについて代表的に説明する。
【００６２】
図２および図３に示すように、レンズ６ｂは、凸レンズであり、その平面視において円形をなすプラノコンペックスレンズで構成される。また、レンズ６ｂの底面６１は、平面で構成されており、光導波路３ａの上面３６ａに、例えば、接着剤等で固定されている。レンズ６ｂの上面６２は、凸状をなす湾曲面で構成されている。また、レンズ６ｂの焦点は、接続状態において、コネクタ８の下端面（基板５に臨む面）８２と一致するよう設定されている。
【００６３】
通常、コア部３４ｂを通過し、ミラー４ｂにより反射された光１００は、発散するが、このような構成のレンズ６ｂを設けることにより、収束された後、光ファイバ８１ｂに入射するようになる。これにより、より多くの光１００が光ファイバ８１ｂに入射することができ、光１００の損失の発生を抑制することができる。よって、信頼性が高く高品質な光通信を提供し得る光伝送基板１Ａを得ることができる。
これに対し、レンズ６ｂを省略した場合、ミラー４ｂにより反射され、発散された光の一部は、光ファイバ８１ｂに入射されない。この場合、光ファイバ８１ｂに入射されない光は損失となり、光ファイバ８１ｂに入射する光量が少なくなる。この結果、光のＳ／Ｎ比が低下してしまう。
【００６４】
レンズ６ｂを構成する材料としては、例えば、アクリル系樹脂、メタクリル系樹脂、ポリカーボネート、ポリスチレン、エポキシ系樹脂やオキセタン系樹脂のような環状エーテル系樹脂、ポリアミド、ポリイミド、ポリベンゾオキサゾール、ポリシラン、ポリシラザン、ベンゾシクロブテン系樹脂やノルボルネン系樹脂等の環状オレフィン系樹脂のような各種樹脂材料の他、石英ガラス、ホウケイ酸ガラスのような各種ガラス材料、サファイア、水晶のような各種結晶材料等が挙げられる。
【００６５】
図５に示すように、レンズ６ａ〜６ｃを囲み、かつ、光導波路３ａを跨ぐように、基板５上に接続部材２が設けられている。接続部材２は、その平面視において、レンズ６ａ〜６ｃを一括して包含している。これにより、レンズ６ａ〜６ｃは、接続部材２によって保護され、レンズ６ａ〜６ｃに汚れが付着することが防止される。
【００６６】
この接続部材２は、正面壁部２１と、背面壁部２２と、これらを繋ぐ右側壁部２３、および左側壁部２４とで構成されている。
【００６７】
正面壁部２１および背面壁部２２は、それぞれ、板部材で構成され、光導波路３ａの長手方向に対向配置されている。また、右側壁部２３および左側壁部２４とは、それぞれ、板部材で構成され、光導波路３ａの幅方向に対向配置されている。このような構成により、接続部材２は、その全体形状が四角形の筒状をなしている。
【００６８】
これらの４つの壁部２１〜２４で囲まれる空間内に、コネクタ８が挿入される。すなわち、この空間を規定する接続部材２の部分が、コネクタ８が挿入される挿入部２５を構成する。また、各壁部２１〜２４は、基板５に対して垂直に設けられている。これにより、コネクタ８の挿入部２５に対する挿入方向は、基板５に対して垂直な方向となっている。
【００６９】
このように、本実施形態における光伝送基板１Ａとコネクタ８の接続方向は垂直な方向となっているため、第１の導体パターン５２、第２の導体パターン５４、第３の導体パターン５６のパターン形状にもよるが、基板５の任意の場所に接続部材２を設置することができる。これにより、接続部材２を設置する際の設計の自由度、すなわち、光伝送基板１Ａの設計自由度が高くなる。
【００７０】
図１および図４に示すように、正面壁部２１の下端部の略中央には、正面壁部２１の下端部に開放する長方形の切欠き（凹部）２１１が形成され、背面壁部２２の下端部の略中央には、背面壁部２２の下端部に開放する長方形の切欠き（凹部）２２１が形成されている。これらの切欠き２１１、２２１は、図１中の矢印ｃ方向から見た正面視（図４）において重なっており、切欠き２１１、２２１には、光導波路３ａが挿入されている。
【００７１】
光導波路３ａのレンズ６ａ〜６ｃは、接続部材２の平面視において壁部２１〜２４で規定される空間の略中央部に位置（露出）している。したがって、接続状態では、コネクタ８の下端面８２が、レンズ６ａ〜６ｃに対向する。
【００７２】
図４に示すように、切欠き２１１、２２１の幅Ｗ２は、光導波路３ａの幅Ｗ１よりも大きい。また、図２に示すように、切欠き２１１、２２１の高さＨ３は、それぞれ、光導波路３ａの厚さＨ２とレンズ６ａの厚さＨ１を合わせた厚さ（総厚）より大きい。
【００７３】
したがって、光導波路３ａは、切欠き２１１、２２１（凹部）内において、光導波路３ａと接続部材２との間には間隙２６が形成される。換言すれば、接続部材２と光導波路３ａのコア部３４ａ〜３４ｃとは非接触の状態である。これにより、コア部３４ａ〜３４ｃの損失悪化が防止される。この結果、光伝送基板１Ａを搭載する電子機器において、その信頼性が向上する。
【００７４】
接続部材２の挿入部２５内には、コネクタ８をレンズ６ａ〜６ｃに対して位置決めする位置決め手段７が設けられている。
【００７５】
本実施形態では、図３に示すように、位置決め手段７は、右側壁部２３の内壁面２３０と左側壁部２４の内壁面２４０にそれぞれ設けられた段差部２７で構成されている。段差部２７は、内壁面２３０と内壁面２４０とに内側に突出して形成された部分である。
【００７６】
各段差部２７の上面は、基板５の上面５０と略平行に形成されており、接続状態において、コネクタ８の下端面８２の一部が当接する当接面２７０として機能している。これにより、コネクタ８は、下方への移動（挿入部２５への挿入深さ）が規制される。すなわち、段差部２７は、コネクタ８の挿入部２５に対する挿入深さを規制する規制部を構成する。
【００７７】
また、当接面２７０と基板５の上面５０との離間距離Ｌ１は、光導波路３ａの厚さＨ２とレンズ６ａの厚さＨ１を合わせた厚さ（総厚）より大きい。これにより、コネクタ８は、レンズ６ａ〜６ｃと非接触の状態で当接面２７０により支持される。すなわち、コネクタ８は、レンズ６ａ〜６ｃとの間に間隙２６が形成されるよう、当接面２７０に支持される。すなわちコネクタ８とレンズ６ａ〜６ｃとは、それぞれ非接触である。この結果、光導波路３ａの持つ本来の高い伝送特性を確実に維持することができる。
【００７８】
また、図２に示すように、コア部３４ｂを厚さ方向に２等分する中心線２００とコネクタ８との距離Ｈ４は、０．０５〜５ｍｍが好ましく、０．１〜４ｍｍがより好ましい。
【００７９】
上記構成の接続部材２の構成材料としては、例えば、フェノール系樹脂、エポキシ系樹脂、オレフィン系樹脂、尿素系樹脂、メラミン系樹脂、不飽和ポリエステル系樹脂、耐熱ナイロン系樹脂、ＰＰＳ樹脂のような各種樹脂材料、ステンレス鋼、アルミニウム合金のような各種金属材料、またはこれらのうちの２つ以上を組み合わせた材料等が挙げられる。
【００８０】
このような接続部材２は、基板５に、例えば、接着剤、はんだ等により固定されている。
【００８１】
以上のような構成の光伝送基板１Ａは、例えば、ルータ装置、ＷＤＭ装置、携帯電話器、自動車、ゲーム機、パーソナルコンピュータ、テレビ、ホーム・サーバー、その他各種電化製品等に搭載することができる。
【００８２】
このような接続部材２には、コネクタ８が接続される。図３に示すように、コネクタ８は、複数本（本実施形態では３本）の光ファイバ８１ａ〜８１ｃと、光ファイバ８１ａ〜８１ｃを一括して保持するコネクタハウジング８３とを有する。
【００８３】
コネクタハウジング８３は、筐体で構成され、その内側に、光ファイバ８１ａ〜８１ｃの下端部が固定されている。
【００８４】
光ファイバ８１ａは光が通過するコア部８４ａと、コア部８４ａを囲むクラッド部８５ａを有している。光ファイバ８１ｂは光が通過するコア部８４ｂと、コア部８４ｂを囲むクラッド部８５ｂを有している。光ファイバ８１ｃは光が通過するコア部８４ｃと、コア部８４ｃを囲むクラッド部８５ｃを有している。
【００８５】
接続状態において、光ファイバ８１ａの光軸は、レンズ６ａの光軸と一致するように配置され、光ファイバ８１ｂの光軸は、レンズ６ｂの光軸と一致するように配置され、光ファイバ８１ｃの光軸は、レンズ６ｃの光軸と一致するように配置されている。このため、接続状態では、光ファイバ８１ａのコア部８４ａと光導波路３ａのコア部３４ａとがレンズ６ａを介して光学的に接続され、光ファイバ８１ｂのコア部８４ｂと光導波路３ａのコア部３４ｂとがレンズ６ｂを介して光学的に接続され、光ファイバ８１ｃのコア部８４ｃと光導波路３ａのコア部３４ｃとがレンズ６ｃを介して光学的に接続される。これにより、コネクタ８と光伝送基板１Ａとの間で光１００を使用したデータ通信を行うことができる。
【００８６】
＜第２実施形態＞
図６は、本発明の光伝送基板の第２実施形態を示す斜視図、図７は、図６に示す光伝送基板の平面図である。
【００８７】
以下、これらの図を参照して本発明の光伝送基板の第２実施形態について説明するが、前述した実施形態との相違点を中心に説明し、同様の事項はその説明を省略する。
本実施形態は、レンズの設置数が異なること以外は前記第１実施形態と同様である。
【００８８】
図７に示すように、光導波路３ｂのコア層３２には、１２本のコア部（導波路チャンネル）３４ａ’、３４ｂ’、３４ｃ’、３４ｅ’、３４ｆ’、３４ｇ’、３４ｈ’、３４ｉ’、３４ｊ’、３４ｋ’、３４Ｌ’が並設されている。
【００８９】
また、光導波路３ｂの上面３６ｂのコア部３４ａ’に対応する（真上に位置する）部分には、レンズ６ａ’が設けられ、光導波路３ｂの上面３６ｂのコア部３４ｂ’に対応する部分には、レンズ６ｂ’が設けられ、光導波路３ｂの上面３６ｂのコア部３４ｃ’に対応する部分には、レンズ６ｃ’が設けられ、光導波路３ｂの上面３６ｂのコア部３４ｄ’に対応する部分には、レンズ６ｄ’が設けられ、光導波路３ｂの上面３６ｂのコア部３４ｅ’に対応する部分には、レンズ６ｅ’が設けられ、光導波路３ｂの上面３６ｂのコア部３４ｆ’に対応する部分には、レンズ６ｆ’が設けられ、光導波路３ｂの上面３６ｂのコア部３４ｇ’に対応する部分には、レンズ６ｇ’が設けられ、光導波路３ｂの上面３６ｂのコア部３４ｈ’に対応する部分には、レンズ６ｈ’が設けられ、光導波路３ｂの上面３６ｂのコア部３４ｉ’に対応する部分には、レンズ６ｉ’が設けられ、光導波路３ｂの上面３６ｂのコア部３４ｊ’に対応する部分には、レンズ６ｊ’が設けられ、光導波路３ｂの上面３６ｂのコア部３４ｋ’に対応する部分には、レンズ６ｋ’が設けられ、光導波路３ｂの上面３６ｂのコア部３４Ｌ’に対応する部分には、レンズ６Ｌ’が設けられている。
【００９０】
レンズ６ａ’〜６Ｌ’は、隣り合うレンズ同士が、光導波路３ｂの延在方向にずれて配置されている。レンズ６ａ’、６ｃ’、６ｅ’、６ｇ’、６ｉ’、６ｋ’（以下、これらを「レンズ群６０Ａ」という）が光導波路３ｂの幅方向に１列に整列し、レンズ６ｂ’、６ｄ’、６ｆ’、６ｈ’、６ｊ’、６Ｌ’（以下、これらを「レンズ群６０Ｂ」という）が光導波路３ｂの幅方向に１列に整列している。すなわち、光導波路３ｂの幅方向に整列したレンズ群６０Ａと、光導波路３ｂの幅方向に整列したレンズ群６０Ｂとは、光導波路３ｂの延在方向に離間して配置されている（以下、この配置を「千鳥配置」という）。
【００９１】
また、コア部３４ａ’のレンズ６ａ’に対応する（真下に位置する）部分には、ミラー４ａ’が設けられ、コア部３４ｂ’のレンズ６ｂ’に対応する部分には、ミラー４ｂ’が設けられ、コア部３４ｃ’のレンズ６ｃ’に対応する部分には、ミラー４ｃ’が設けられ、コア部３４ｄ’のレンズ６ｄ’に対応する部分には、ミラー４ｄ’が設けられ、コア部３４ｅ’のレンズ６ｅ’に対応する部分には、ミラー４ｅ’が設けられ、コア部３４ｆ’のレンズ６ｆ’に対応する部分には、ミラー４ｆ’が設けられ、コア部３４ｇ’のレンズ６ｇ’に対応する部分には、ミラー４ｇ’が設けられ、コア部３４ｈ’ のレンズ６ｈ’に対応する部分には、ミラー４ｈ’が設けられ、コア部３４ｉ’のレンズ６ｉ’に対応する部分には、ミラー４ｉ’が設けられ、コア部３４ｊ’のレンズ６ｊ’に対応する部分には、ミラー４ｊ’が設けられ、コア部３４ｋ’のレンズ６ｋ’に対応する部分には、ミラー４ｋ’が設けられ、コア部３４Ｌ’のレンズ６Ｌ’に対応する部分には、ミラー４Ｌ’が設けられている。
【００９２】
図６および図７に示すように、レンズ群６０Ａは、接続部材２Ａに一括して包含されている（重なっている）。レンズ群６０Ｂは、接続部材２Ｂに一括して包含されている。
【００９３】
前述したように、レンズ６ａ’〜６Ｌ’が千鳥配置となっていることにより、隣り合うレンズ６ａ’〜６Ｌ’同士の間隔は、光導波路３ｂの幅方向にすべてのレンズが１列に整列して設けられた場合の隣り合うレンズ同士の間隔に比べ、大きく設定することができる。これにより、レンズ６ａ’〜６Ｌ’同士の間隔が大きい分、より大きい直径のレンズ６ａ’〜６Ｌ’を用いることができる。よって、ミラー４ａ’で屈曲した光１００は、レンズ６ａ’をより多く透過することができ、ミラー４ｂ’で屈曲した光１００は、レンズ６ｂ’をより多く透過することができ、ミラー４ｃ’で屈曲した光１００は、レンズ６ｃ’をより多く透過することができ、ミラー４ｄ’で屈曲した光１００は、レンズ６ｄ’をより多く透過することができ、ミラー４ｅ’で屈曲した光１００は、レンズ６ｅ’をより多く透過することができ、ミラー４ｆ’で屈曲した光１００は、レンズ６ｆ’をより多く透過することができ、ミラー４ｇ’で屈曲した光１００は、レンズ６ｇ’をより多く透過することができ、ミラー４ｈ’で屈曲した光１００は、レンズ６ｈ’をより多く透過することができ、ミラー４ｉ’で屈曲した光１００は、レンズ６ｉ’をより多く透過することができ、ミラー４ｊ’で屈曲した光１００は、レンズ６ｊ’をより多く透過することができ、ミラー４ｋ’で屈曲した光１００は、レンズ６ｋ’をより多く透過することができ、ミラー４Ｌ’で屈曲した光１００は、レンズ６Ｌ’をより多く透過することができる。この結果、光導波路３ｂの持つ本来の高い伝送特性をより確実に維持することができる。
【００９４】
さらに、本実施形態では、接続部材２Ａ、２Ｂが、光導波路３ｂの延在方向に沿って設けられている。接続部材２Ａは、平面視でレンズ群６０Ａを一括して包含するよう設けられ、接続部材２Ｂは、平面視でレンズ群６０Ｂを一括して包含するよう設けられている。この場合、接続部材２Ａ、２Ｂは、レンズ群６０Ａとレンズ群６０Ｂとを一括して包含するように設けられた場合の接続部材に比べ、小さいものを用いることができる。これにより、光伝送基板１Ｃは、接続部材２Ａ、２Ｂを設置する際の設計の自由度がさらに高くなる。
【００９５】
＜第３実施形態＞
図８は、本発明の光伝送基板の第３実施形態を示す断面図である。
【００９６】
以下、この図を参照して本発明の光伝送基板の第３実施形態について説明するが、前述した実施形態との相違点を中心に説明し、同様の事項はその説明を省略する。
本実施形態は、接続部材の構成が異なること以外は前記第１実施形態と同様である。
【００９７】
図８に示すように、本実施形態における接続部材２Ｃは、正面壁部２１と背面壁部２２と右側壁部２３および左側壁部２４とで構成される本体２０を備え、さらに支持板２８とレンズ６ｄ、６ｅ、６ｆとを備えている。支持板２８は、板状をなし、右側壁部２３と左側壁部２４との間に架設されている。支持板２８の上面２８０は、当接面２７０と同一平面上に位置している。支持板２８の上面２８０には、コネクタ８の下端面８２が当接している。また、支持板２８は、レンズ６ａ〜６ｃを構成する材料と同じ材料で構成されている。
【００９８】
支持板２８の下面２８１には、下方に向って突出した凸レンズであるレンズ６ｄ、６ｅ、６ｆが設けられている。レンズ６ｄはレンズ６ａと対向するよう設けられている。レンズ６ｅはレンズ６ｂと対向するよう設けられている。レンズ６ｆはレンズ６ｃと対向するよう設けられている。
【００９９】
このような構成により、ミラー４ａで屈曲した光１００は、レンズ６ａとレンズ６ｄと支持板２８とを順に透過し、コア部８４ａに入射する。ミラー４ｂで屈曲した光１００は、レンズ６ｂとレンズ６ｅと支持板２８とを順に透過する。コア部８４ｂに入射し、ミラー４ｃで屈曲した光１００は、レンズ６ｃとレンズ６ｆと支持板２８とを順に透過し、コア部８４ｃに入射する。
【０１００】
このような構成の接続部材２Ｃを備える光伝送基板１Ｃは、光１００が２つのレンズを透過して接続される。この構成により、光１００が１つのレンズを透過する第１実施形態の光伝送基板１Ａに比べ、光１００の指向性がさらに向上し、光１００が、光ファイバ８１ａ〜８１ｃにより確実に入射することができる。
【０１０１】
＜第４実施形態＞
図９は、本発明の光伝送基板の第４実施形態を示す断面図である。なお、以下では、説明の都合上、図９の上側を「表側」、下側を「裏側」と言う。
【０１０２】
以下、この図を参照して本発明の光伝送基板の第４実施形態について説明するが、前述した実施形態との相違点を中心に説明し、同様の事項はその説明を省略する。
本実施形態は、支持板の配置が異なること以外は第３実施形態と同様である。
【０１０３】
図９に示すように、本実施形態における接続部材２Ｄは、支持板２８の上面２８０が当接面２７０より下側にずれて配置されている。上面２８０が下側にずれて配置されている分、接続状態で、コネクタ８の下端面８２と支持板２８の上面２８０との間に間隙２６’が形成されているため、上面２８０には、凸レンズであるレンズ６ｇ、６ｈ、６ｉをさらに配置することができる。また、本実施形態では、光導波路３ａからレンズ６ａ〜６ｃは、省略されている。
【０１０４】
レンズ６ｇとレンズ６ｊとは、それぞれの底面６１が支持板２８を介して対向するよう設けられている。レンズ６ｈとレンズ６ｋとは、それぞれの底面６１が支持板２８を介して対向するよう設けられている。レンズ６ｉとレンズ６Ｌとは、それぞれの底面６１が支持板２８を介して対向するよう設けられている。すなわち、レンズ６ｄの表側にレンズ６ｇが設けられ、レンズ６ｅの表側にレンズ６ｈが設けられ、レンズ６ｆの表側にレンズ６ｉが設けられている。
【０１０５】
また、レンズ６ｇ〜６ｉには、接続状態でコネクタ８の下端面８２との間に間隙２６’が形成されている。すなわち、接続状態で、レンズ６ｇ〜６ｉは、コネクタ８と非接触となっている。これにより、光ファイバ８１ａ〜８１ｃの伝送特性を維持することができる。
【０１０６】
また、レンズ６ｄ〜６ｆには、光導波路３ａとの間に間隙２６が形成されている。すなわち、レンズ６ｄ〜６ｆは、光導波路３ａと非接触となっている。これにより、光導波路３ａの伝送特性を維持することができる。
【０１０７】
このような構成により、ミラー４ａで屈曲した光１００は、レンズ６ｄと支持板２８レンズ６ｇとを順に透過し、コア部８４ａに入射する。ミラー４ｂで屈曲した光１００は、レンズ６ｅと支持板２８とレンズ６ｈとを順に透過し、コア部８４ｂに入射する。ミラー４ｃで屈曲した光１００は、レンズ６ｆと支持板２８とレンズ６ｉとを順に透過し、コア部８４ｃに入射する。
【０１０８】
以上、本発明の光伝送基板を図示の実施形態について説明したが、本発明は、これに限定されるものではなく、光伝送基板を構成する各部は、同様の機能を発揮し得る任意の構成のものと置換することができる。また、任意の構成物が付加されていてもよい。
【０１０９】
なお、第１実施形態、および第２実施形態において、光は、光導波路を通過しミラーにより反射され、レンズを介して、光ファイバに入射するが、本発明ではこれに限らず、光は、光ファイバから出射され、レンズを介して、ミラーにより反射され、光導波路のコア部を通過する構成となっていてもよい。
【０１１０】
また、各実施形態において、光伝送基板と光学的に接続される導光路は光ファイバであるが、本発明ではこれに限らず、光伝送基板に接続されるコネクタが有する導光路は、光導波路でもよい。
【０１１１】
さらに、本発明では、接続部材とコア部とは非接触であるが、接着剤層が介在されていてもよい。
【０１１２】
なお、各実施形態におけるレンズはプラノコンペックスレンズで構成されているが、本発明ではこれに限らず、フレネルレンズで構成されていてもよい。これにより、レンズの厚さをより薄くすることができ、よって、光伝送基板の小型化を図ることができる。
【０１１３】
また、各実施形態において、接続部材に接続される相手体であるコネクタは、基板に対して垂直に挿入されるが、本発明ではこれに限らず、接続部材に対して水平に挿入されるよう構成されていてもよい。
【０１１４】
また、第３実施形態および第４実施形態では、本体と支持板とは、別体として構成されているが、本願発明ではこれに限らず、本体と支持板とは一体的に形成されていてもよい。
【０１１５】
また、各実施形態において、接続部材に接続されるコネクタは、ミラーを有していてもよい。すなわち、接続部材に接続されるコネクタは、光路変換機能を有していてもよい。
【０１１６】
また、各実施形態において、接続部材は基板に設けられているが、本発明ではこれに限定されず、コア部に非接触であれば、光導波路の上面に設けられていてもよい。この場合、切欠きの高さは、レンズの厚さより大きい。
【０１１７】
また、各実施形態において、接続部材の外形形状は四角形の筒状をなしているが、本発明ではこれに限定されず、円筒状、多角形の筒状等をなしていてもよい。
【０１１８】
また、各実施形態では、接続部材は基板に対して接着剤で固定されているが、本発明ではこれに限定されず、基板と接続部材とのうちの一方に設けられたガイドピンと、他方に設けられたガイド孔等で固定されていてもよい。
【符号の説明】
【０１１９】
１Ａ、１Ｂ、１Ｃ、１Ｄ  光伝送基板
２、２Ａ、２Ｂ、２Ｃ、２Ｄ  接続部材
２０        本体
２１        正面壁部
２１１      切欠き
２２        背面壁部
２２１      切欠き
２３        右側壁部
２３０      内壁面
２４        左側壁部
２４０      内壁面
２５        挿入部
２６、２６’  間隙
２７        段差部
２７０      当接面
２８        支持板
２８０      上面
２８１      下面
３ａ、３ｂ  光導波路
３２        コア層
３３ａ      クラッド層（第１のクラッド層（クラッド部））
３３ｂ      クラッド層（第２のクラッド層（クラッド部））
３４ａ、３４ｂ、３４ｃ、３４ａ’、３４ｂ’、３４ｃ’、３４ｄ’、３４ｅ’、３４ｄ’、３４ｅ’、３４ｆ’、３４ｇ’、３４ｈ’、３４ｉ’、３４ｊ’、３４ｋ’、３４Ｌ’  コア部（導波路チャンネル）
３５ａ、３５ｂ、３５ｃ、３５ｄ  側面クラッド部（クラッド部）
３６ａ、３６ｂ  上面
４ａ、４ｂ、４ｃ、４ａ’、４ｂ’、４ｃ’、４ｄ’、４ｅ’、４ｄ’、４ｅ’、４ｆ’、４ｇ’、４ｈ’、４ｉ’、４ｊ’、４ｋ’、４Ｌ’  ミラー
４０Ａ      ミラー群Ａ
４０Ｂ      ミラー群Ｂ
４１ｂ      空間
４２ｂ、４３ｂ  傾斜面
５          基板
５０        上面
５１        第１の絶縁層
５２        第１の導体パターン（導体回路）
５３        第２の絶縁層
５４        第２の導体パターン（導体回路）
５５        第３の絶縁層
５６        第３の導体パターン（導体回路）
５７        被覆層（ソルダーレジスト層）
６ａ、６ｂ、６ｃ、６ａ’、６ｂ’、６ｃ’、６ｄ、６ｄ’、６ｅ、６ｅ’、６ｆ、６ｆ’、６ｇ、６ｇ’、６ｈ、６ｈ’、６ｉ、６ｉ’、６ｊ’、６ｋ’、６Ｌ’  レンズ
６０Ａ      レンズ群Ａ
６０Ｂ      レンズ群Ｂ
６１        底面
６２        上面
７          位置決め手段
８          コネクタ
８１ａ、８１ｂ、８１ｃ  光ファイバ
８２        下端面
８３        コネクタハウジング
８４ａ、８４ｂ、８４ｃ  コア部
８５ａ、８５ｂ、８５ｃ  クラッド部
１００      光
２００      中心線
θ          傾斜角度
Ｈ１、Ｈ２  厚さ
Ｗ１、Ｗ２  幅
Ｈ３        高さ
Ｈ４        距離
Ｌ１        離間距離
【図１】
2014085415.tif 000003
【図２】
2014085415.tif 000004
【図３】
2014085415.tif 000005
【図４】
2014085415.tif 000006
【図５】
2014085415.tif 000007
【図６】
2014085415.tif 000008
【図７】
2014085415.tif 000009
【図８】
2014085415.tif 000010
【図９】
2014085415.tif 000011